(57)【特許請求の範囲】
【請求項１】
磁心と、該磁心が両側に露出するように該磁心に巻きつけられた巻線と、該巻線の両側に露出する前記磁心の少なくとも一部を覆う磁心被覆部と前記巻線を覆う巻線被覆部とを設けた磁性部材とを有するアンテナにおいて、
前記磁性部材における前記磁心被覆部に、前記巻線被覆部よりも幅が狭い狭幅部を設けたことを特徴とする電子時計用のアンテナ。
【請求項２】
前記アンテナは、前記磁性部材を前記磁心に一体化するための固定部材を有し、
該固定部材の一部を、前記磁心の幅方向における前記狭幅部の周囲に配置したことを特徴とする請求項１に記載の電子時計用のアンテナ。
【請求項３】
前記固定部材は、前記巻線及び前記磁心に対向する位置に前記磁性部材の取付部を設けた第１固定部材と、前記磁心に取り付けられるとともに、該第１固定部材を固着する第２固定部材とを有し、
前記固定部材における、前記狭幅部の周囲に配置される部分は、前記第１固定部材に設けられ、前記磁性部材を位置決めする位置決め部であることを特徴とする請求項２に記載の電子時計用のアンテナ。
【請求項４】
前記第１固定部材の位置決め部に、前記第１固定部材を前記第２固定部材に固着する固着部を設けたことを特徴とする請求項３に記載の電子時計用のアンテナ。
【請求項５】
前記第１固定部材は、前記磁性部材を覆い、前記狭幅部の周囲に位置する部分を切り欠いた形状に形成されていることを特徴とする請求項３又は４のいずれかに記載の電子時計用のアンテナ。
【請求項６】
前記巻線被覆部の前記磁性部材の幅は、該巻線被覆部の前記磁心の幅以上で、且つ、前記巻線の巻き付け幅以下であり、
前記磁心被覆部の前記狭幅部の幅は、該磁心被覆部の前記磁心の幅以下であることを特徴とする請求項１〜５のいずれか１項に記載の電子時計用のアンテナ。
【請求項７】
請求項１〜６のいずれか１項に記載の電子時計用のアンテナを、外形が円形の時計ムーブメントに組み込み、前記電子時計用のアンテナを前記時計ムーブメントの外周付近に配置したことを特徴とする電子時計。
【発明の詳細な説明】
【技術分野】
【０００１】
本発明は、電子時計の内部に配置される電子時計用のアンテナに関する。
【背景技術】
【０００２】
近年、腕時計型の電波修正時計が広く普及してきており、標準電波（時刻修正電波）を時計に内蔵したアンテナによって受信し、その情報を処理し、運針駆動用モーターで正確な時刻を表すように指針修正する機能が広く認知されるに至った。
【０００３】
そのような機能を搭載するにあたり、標準電波を受信するための受信感度の向上は、電波修正時計の性能を左右する課題であるが、腕時計型といった小型の時計では、その大きさの制約から解決すべき課題は多い。
【０００４】
そのような課題を解決する方法や手段は、多くの提案を見るところである。一般的にアンテナを大きくすることで受信感度を向上することが出来るが、アンテナと時計を構成する他の部品との間で制約を受けることもある。すなわち、アンテナの巻線部分と時計外装に代表される金属物が近くに配置されると、アンテナで共振した電流によって発生する磁束が、アンテナに近接配置された金属を貫く時に渦電流を発生させ、この作用によって損失が発生するのである。
【０００５】
この損失を避けるため、アンテナ近傍に磁性体を配置し、アンテナで共振した電流によって発生する磁束が、外装などの金属を貫かないようにする方法が挙げられている。
【０００６】
特許文献１では、アンテナを内部に納めたアンテナケースの外側に、アンテナの巻線部を覆うように磁性部材を配置し、この磁性部材で損失を防いでいる。
【０００７】
また、特許文献２では、アンテナに磁性部材からなるアンテナカバーを直接取り付け、このアンテナカバーで損失を防いでいる。
【先行技術文献】
【特許文献】
【０００８】
【特許文献１】特開２００５−３１１７１５号
【特許文献２】ＷＯ２００７／１１１２１７号
【発明の概要】
【発明が解決しようとする課題】
【０００９】
しかしながら、特許文献１の構成では、アンテナをアンテナ全体が収まる箱型のケースに収納しているため、アンテナの小型化を図るためにはアンテナ自体を高性能にする必要がある。また、磁性部材はアンテナの巻線部しか覆っておらず、磁心が巻線部から露出している部分で渦電流損失を生じやすい。
【００１０】
特許文献２の構成は、磁性部材からなるアンテナカバーが巻線部とその両側の磁心を覆っているため渦電流損失は生じづらい。しかし、平面形状が略長方形で巻線部と同じ幅のアンテナカバーがアンテナの巻線部とその両端の磁心まで覆っている。このためアンテナとアンテナカバーで構成されるアンテナユニットはアンテナカバーの面積に依存する大きさとなり、結果として時計内の限られたスペースの多くを占めるようになる。
【００１１】
本発明の目的は、以上のような課題を解決し、渦電流の発生を抑えるとともに、アンテ
ナを小型化することである。
【課題を解決するための手段】
【００１２】
上記目的を達成するために、本発明のアンテナは、磁心と、該磁心が両側に露出するように該磁心に巻きつけられた巻線と、該巻線の両側に露出する前記磁心の少なくとも一部を覆う磁心被覆部と前記巻線を覆う巻線被覆部とを設けた磁性部材とを有するアンテナにおいて、前記磁性部材における前記磁心被覆部に、前記巻線被覆部よりも幅が狭い狭幅部を設けたことを特徴とする。
【００１３】
この構成によれば、巻線両端に露出する磁心まわりのスペースに磁性部材が配置されないため、磁性部材が無いスペースにアンテナ以外の部品を配置する等、限られたスペースを有効に活用することが出来る。一方、磁性部材は磁心と巻線を覆うので、渦電流防止効果を高めることが可能である。
【００１４】
また、本発明のアンテナにおいて、前記磁性部材を前記磁心に一体化するための固定部材を有し、該固定部材の一部を、前記磁心の幅方向における前記狭幅部の周囲に配置したことを特徴とする。
【００１５】
この構成によれば、磁性部材をアンテナの磁心に固定するための固定部材を、磁性部材の狭幅部の周囲に配置することが可能である。このため、狭幅部が無い場合と比較して、アンテナを小型化することが可能である。
【００１６】
また、本発明のアンテナにおいて、前記固定部材は、前記巻線及び前記磁心に対向する位置に前記磁性部材の取付部を設けた第１固定部材と、前記磁心に取り付けられるとともに、該第１固定部材を固着する第２固定部材とを有し、前記固定部材における、前記狭幅部の周囲に配置される部分は、前記第１固定部材に設けられ、前記磁性部材を位置決めする位置決め部であることを特徴とする。
【００１７】
この構成によれば、磁性部材を保持する第１固定部材への磁性部材の位置決めを、磁性部材の狭幅部の近傍のスペースで行うことが出来る。これにより、アンテナを小型化することが可能である。
【００１８】
また、前記第１固定部材の位置決め部に、前記第１固定部材を前記第２固定部材に固着する固着部を設けた、ことを特徴とする。
【００１９】
この構成によれば、第２固定部材への第１固定部材の固着を、狭幅部の近傍のスペースを利用して行うことができ、アンテナを小型化することが可能である。
【００２０】
また、前記第１固定部材は、前記磁性部材を覆い、前記狭幅部の周囲に位置する部分を切り欠いた形状に形成されていることを特徴とする。
【００２１】
この構成によれば、略円形形状の時計ムーブメントの外周に寄せてアンテナを配置することができ、効率よくムーブメントの部品を配置することが出来る。
【００２２】
また、本発明のアンテナにおいて、前記巻線被覆部の前記磁性部材の幅は、該巻線被覆部の前記磁心の幅以上で、且つ、前記巻線の巻き付け幅以下であり、前記磁心被覆部の前記狭幅部の幅は、該磁心被覆部の前記磁心の幅以下であることを特徴とする。
【００２３】
この構成によれば、磁性部材は磁心及び巻線の平面投影部以内に収まるため、アンテナの平面方向の大きさは磁心と巻線の大きさに依存する。このため、上記の渦電流防止効果
を得つつアンテナ回りの限られたスペースを有効に活用することが出来る。
【００２４】
また、アンテナを、外形が円形の時計ムーブメントに組み込み、前記アンテナを前記時計ムーブメントの外周付近に配置したことを特徴とする。
【００２５】
この構成によれば、アンテナをムーブメント外周付近に配置することでその他の部品をムーブメント中心よりに効率よく配置することができ、結果としてムーブメントの小型化が可能である。
【発明の効果】
【００２６】
本発明によれば、アンテナの巻線部を覆う巻線被覆部と、アンテナの巻線部の両端から出る磁心を覆う磁心被覆部を持つ磁性部材において、磁心被覆部に巻線被覆部よりも幅が狭い狭幅部を設けたことにより、渦電流防止効果を得ることができ、かつアンテナの小型化が可能である。
【図面の簡単な説明】
【００２７】
【図１】図１（ａ）は、本発明の第１実施形態における、磁心と絶縁テープ及び巻線の平面図、図１（ｂ）は、本発明の第１実施形態における、磁心の端部への固定部材の取付を説明する図である。
【図２】本発明の第１実施形態における磁性部材の平面図である。
【図３】図３（ａ）は本発明の第１実施形態における、磁性部材側から見たアンテナの透視図、図３（ｂ）は、本発明の第１実施形態における、アンテナと時計ムーブメントの外形との位置関係を説明するための図である。
【図４】本発明の第２実施形態におけるアンテナ側で使用する第２固定部材の平面図と背面図である。
【図５】本発明の第２実施形態における磁性部材側で使用する第１固定部材の平面図、背面図、横面図である。
【図６】図６（ａ）は、本発明の第２実施形態におけるアンテナの平面図、図６（ｂ）は、本発明の第２実施形態における回路基板の平面図である。
【図７】本発明の第２実施形態における、アンテナの斜視図である。
【図８】図８（ａ）は、本発明の第２実施形態における、アンテナを組み込む地板の要部平面図、図８（ｂ）は、本発明の第２実施形態における、地板にアンテナを組み込んだ状態の平面図である。
【発明を実施するための形態】
【００２８】
以下、図面に基づいて本発明の一実施形態を詳述する。図１（ａ）は、本発明の第１実施形態における、磁心と絶縁テープ及び巻線の平面図、図１（ｂ）は、本発明の第１実施形態における、磁心の端部への固定部材の取り付けを説明する図であり、図２は本発明の第１実施形態における磁性部材の平面図である。図３（ａ）は本発明の第１実施形態における、磁性部材側から見たアンテナの透視図、図３（ｂ）は、本発明の第１実施形態における、アンテナと時計ムーブメントの外形との位置関係を説明するための図である。
【００２９】
図１〜３を用いて第１実施形態を説明する。
【００３０】
図３（ａ）の符号１がアンテナであり、このアンテナ１は、図１（ａ）、図１（ｂ）に示す、棒状の磁心３、絶縁テープ４、絶縁テープ４の上から磁心３の周りに巻き回されコイル状にされた巻線５、固定部材２と図２に示す磁性部材７とで構成される。磁心３は、アモルファスの薄板の積層や、フェライトなどの磁性部材で構成される。磁心３の幅はＷ１であり、巻線５の巻き付け幅は、磁心３よりも広いＷ２の幅である。巻線５の巻付け長さはＬ２であり、巻線５の両側に磁心３がＬ１の長さだけ露出している。図１（ｂ）に示
すように、磁心３の両端部には、プラスチック等の非磁性部材からなる略直方体形状の固定部材２が接着固定される。また、図２に示す磁性部材７は、アモルファスの薄板を複数枚重ねた板状の部材であり、図３に示すとおり、磁心３と巻線５を平面的に覆うように配置され、磁心３の端部の固定部材２に接着固定される。
【００３１】
そして、磁性部材７は、中央部８の幅Ｗ４が、巻線５の部分の幅Ｗ２とほぼ同じであり、磁性部材７の両端部の幅Ｗ３は、磁心３の幅Ｗ１よりやや狭い。また、Ｗ４の幅の中央部８の長さは、巻線５の巻付け長さＬ２よりも長いＬ４であり、磁性部材７の両端部の長さは、巻線５の両側に磁心３が露出する長さＬ１よりも短いＬ３である。
【００３２】
磁性部材７における、長さＬ２の範囲の部分が、巻線５を覆う巻線被覆部であり、長さＬ４−Ｌ２の範囲の部分、及び、長さＬ３の範囲の部分が、磁心３を覆う磁心被覆部である。そして、磁心被覆部のうち、幅Ｗ４の巻線被覆部より幅が狭い、幅Ｗ３の長さのＬ３の範囲の部分が狭幅部９である。
【００３３】
アンテナ１は、腕時計の内部に収納される。例えば、腕時計の金属製の裏蓋や、この裏蓋が取り付けられる金属製のケースに向けて配置される。このような配置によって、アンテナに生じる磁束が、渦電流を生じにくい磁性部材７の方を流れることで、金属製のケースや裏蓋に流れるのを防ぎ、その結果、金属製のケースや裏蓋に磁束が流れることによって発生する渦電流損失を防止することができる。
【００３４】
磁性部材７の狭幅部９は、中央部８よりも幅が狭くなってはいるが、巻線５の両側から露出している磁心３をほぼ覆うことができる幅であるため、渦電流を抑える効果は、特許文献２に開示されたアンテナと同様である。また、従来のように、磁性部材７の磁心被覆部の幅を巻線被覆部の幅と同じＷ４とした場合に比較して、磁心被覆部に狭幅部９を設けた分だけアンテナ１の平面投影面積が小さくなり、アンテナ１が小型化される。さらに、巻線５の部分の幅Ｗ２や、磁心３の幅Ｗ１と磁性部材７の幅Ｗ４やＷ３の幅をほぼ同じにするか、又は狭くすることにより、磁性部材７は磁心３及び巻線５の平面投影部以内に収まるため、アンテナ１を小型化することができる。
【００３５】
磁性部材７の磁心３を覆う部分に狭幅部９を設けることにより、磁心３の幅方向の周囲に、図３（ａ）に示すａ〜ｄのスペースを確保することができる。
【００３６】
そして、このスペースに、アンテナ１以外の部品を配置することができる。例えば、図３（ｂ）に示すように、磁性部材７とほぼ同じ断面高さに設けた電子時計の回路基板５０に、スペースｂやｄまで突出する突出部５０ａや５０ｂを設け、回路基板５０の面積を広げることができる。また、アンテナ１を腕時計内に固定するため、アンテナ１を配置する図示しない地板に、スペースａ〜ｄに位置する部分から、アンテナ１の厚さ方向に伸ばした４つのフックを設け、フックの先端に狭幅部９に向けた係合爪を形成し、この係合爪を磁性部材７の表面に係合させることもできる。
【００３７】
また、特に腕時計は、文字板の平面視で外形形状が円形の場合が多く、この場合は、腕時計のムーブメントも円形もしくは円形に近い形状であることが多い。磁心３が、図３（ａ）に示した略直線状のものや、円弧状に湾曲していて且つその曲率がムーブメントの外周の曲率よりも小さな場合には、磁心３の端部が、中央部よりもムーブメントの外周の近くに位置する。従って、アンテナをできるだけムーブメントの外周に寄せて効率よくムーブメント部品を配置する場合、アンテナをどの程度までムーブメント外周に寄せられるかはアンテナの端部の形状に依存する。
【００３８】
図３（ａ）に示したアンテナは、磁心が直線状であっても、アンテナの両端部が細くな
り、またaやｃのスペースを確保しているため、その分だけ、図３（ｂ）に示すように、アンテナをムーブメントの外周に寄せて配置することができる。
【００３９】
なお、この実施形態の場合には、アンテナ１から露出した磁心３は直線状であるが、前述の通り円弧状に湾曲していてもよい。また、磁性部材７が磁心３を覆う範囲は磁心３の先端部まででなくてもよく、実用的な渦電流防止効果が得られる長さであれば磁心３の途中までの長さでもよい。また、磁性部材７はアンテナ１の一方向（完成時計の裏蓋側）のみを覆っているが、この方向だけでなく、側面（完成時計のケース側）もあわせて２面を覆っていてもよい。
【００４０】
また、アンテナをムーブメントの外周にできるだけ寄せるために、磁性部材７に狭幅部を設ける場合には、磁性部材７の両端部における、ムーブメントの外周に近い部分だけを切り欠いてもよい。例えば、図３（ａ）のａ、ｃの部分は、図３に示すように磁性部材７を切りかいて、図３のｂ、ｄの部分はムーブメントの外周から離れているので、切り欠かないように構成することもできる。
【００４１】
また、磁性部材７の中央部８の幅は、Ｗ４に限らず、渦電流損失が実用的に抑制できれば、磁心３より広く、巻線５より狭い幅に設定しても良いし、さらに、渦電流損失の防止効果を向上させるために、巻線５や磁心３より広い幅にしても良い。
【００４２】
いずれにせよ、磁性部材７に狭幅部９を設けて、磁性部材７がアンテナ１を覆う範囲を渦電流損失を防止するための必要最低限にすることで、従来は使用することが出来なかった磁性部材の狭幅部９のまわりのスペースａ〜ｄを使用することが出来るようになる。これによりアンテナを小型化することが可能であり、さらに、アンテナを組み込むムーブメントの小型化も可能となる。
【００４３】
次に、図４〜８を用いて第２実施形態を説明する。
【００４４】
図４と図５は、本発明の第２実施形態における、磁性部材をアンテナ側に固定する際に使用する第１固定部材と第２固定部材それぞれの図面であり、図４がアンテナ側で使用する第２個底部財の平面図と背面図、図５は磁性部材側で使用する第１個底部財の平面図、背面図、横面図である。図６（ａ）は、本発明の第２実施形態における、アンテナの平面図、図６（ｂ）は、本発明の第２実施形態における、回路基板の平面図、図７は、本発明の第２実施形態における、アンテナの斜視図、図８（ａ）は、本発明の第２実施形態における、アンテナを組み込む地板の要部平面図、図８（ｂ）は、本発明の第２実施形態における、地板にアンテナを組み込んだ状態の平面図である。
【００４５】
第２実施形態は、磁性部材をアンテナに一体化するために磁性部材の全体を覆う固定部材を用いるとともに、アンテナを内蔵する腕時計のメインの回路基板に巻線を接続するための回路基板を、アンテナに一体化したものである。第１実施形態と同じ構成は、同じ番号を付与し、その説明を省略する。
【００４６】
図５は磁性部材７を磁心３と一体化するための固定部材のひとつである、第１固定部材１０である。第１固定部材１０は、プラスチック等の非磁性部材で構成されている。また、第１固定部材１０は、図５（ａ）〜（ｃ）に示すように、長尺の板状であり、平面視で四隅が斜めにカットされ、テーパー部１５が形成されている。さらに、第１固定部材１０の一方の面には、図５（ｂ）に示すように、四隅に凸部１３が形成されており、さらに凸部１３のうち３箇所にはボス１２が形成されている。四隅を除く部分が、磁性部材７の配置部１４である。図５（ｂ）の点線で示すように、磁性部材７は、磁性体配置部１４に接着剤等により固定される。磁性部材７を第１固定部材１０に収めると、磁性部材７の狭幅
部９の周囲に第１固定部材１０の凸部１３が配置される。この凸部１３により磁性部材７の位置決めが可能であり、また、後述するように、凸部１３と凸部１３に設けたボス１２により第２固定部材２０ａ、２０ｂを用いて、第１固定部材１０を磁心３と一体化することも可能である。第１固定部材１０の他方の面は、図５（ａ）に示すように、平坦に形成されている。
【００４７】
図４は磁性部材７を磁心３と一体化するための固定部材のひとつである、第２固定部材２０ａ、２０ｂである。第２固定部材２０ａ、２０ｂも、第１固定部材１０と同様に、プラスチック等の非磁性部材で構成されている。第２固定部材２０ａの一方の面には、図４（ａ）に示すように、第１固定部材１０のボス１２を取り付ける穴２４と、後述する回路基板３０を配置する回路基板配置部２５と、回路基板３０を位置決めする回路基板位置決め部２１ａ〜ｃが設けられ、第２固定部材２０ａの他方の面には、図４（ｂ）に示すように、磁心３に取り付けるための磁心取付凹部２３が設けられている。また、第２固定部材２０ｂの一方の面には、第１固定部材１０のボス１２を取り付ける穴２４が設けられ、第２固定部材２０ｂの他方の面には、図５（ｂ）に示すように、磁心３に取り付けるための磁心取付凹部２３が設けられている。さらに、第２固定部材２０ａ、２０ｂには、巻線５の巻き幅を規定する巻幅規定部２７が設けられている。第２固定部材２０ａは磁心３の一方の端部に配置され、第２固定部材２０ｂは、磁心３の他方の端部に配置されている。
【００４８】
第１固定部材１０のボス１２は、狭幅部９の両側に設けた第１固定部材１０の凸部１３に設けられ、第２固定部材２０ａ、２０ｂの穴２４は、ボス１２に対向する位置に設けられていて、ボス１２、穴２４は、狭幅部９の両側のスペースａ〜ｄよりも、アンテナ１の断面高さ方向における磁心３側（磁性部材７の断面高さ位置と磁心３の断面高さ位置の間）に位置する。従って、狭幅部９の両側のスペースａ〜ｄだけではなく、その近傍のスペースもデッドスペースにならずに有効に活用できる構成になっている。
【００４９】
第２固定部材２０ａには、巻線５から引き出した２本の巻線終端部（図示せず）を通す凹部２２と、凹部２２を２つに分離する突起２２ａが設けられている。
【００５０】
図６及び図７に示すように、第２固定部材２０ａには、回路基板３０が取り付けられている。回路基板３０は、フレキシブル基板によって構成されている。回路基板３０には、巻線５に接続された接続端子３２ａ、３２ｂと、巻線５を半田付けする接続端子３３ａ、３３ｂとが設けられている。また、第２固定部材２１ａの位置決め部２１ａ、２１ｂに対応して、回路基板３０には、第２固定部材２０ａに位置決めするための被位置決め部３４ａ、３４ｂが設けられている。
【００５１】
第２固定部材の位置決め部２１ａは、狭幅部９の両側のスペースｂよりも、アンテナ１の断面高さ方向における磁心３側にあるスペースを活用しているので、狭幅部９の両側のスペースだけではなく、その近傍のスペースもデッドスペースにならずに有効に活用することが出来る。
【００５２】
巻線５の２本の巻線終端部を、凹部２２内で、ボス２２ａの両側を通して、回路基板３０の接続端子３３ａ、３３ｂに半田付けする。
【００５３】
接続端子３３ａに巻線５０の巻線終端部を半田付けすると、その半田の高さが、第１固定部材１０の側面まで達し、仮に、この部分を第１固定部材１０が覆う形状の場合は、半田の厚みで、第１固定部材１０を第２固定部材２０ａに固定することができなくなる。第１固定部材１０を第２固定部材２０ａに固定することができるようにするため、図６（ａ）に示すように、接続端子３３ａの近傍では、第１固定部材１０にテーパー１５を設け、第１固定部材１０が、接続端子３３ａの半田を覆わない形状にしている。
【００５４】
第１実施形態と同様に、図７に示したアンテナ１’は腕時計に内蔵される。
【００５５】
図８（ａ）に示すように、時計ムーブメント部品である地板４０には、アンテナ配置部４１が形成されている。アンテナ配置部４１は、凹部や穴である。また、第１固定部材２０ａ、２０ｂに設けた固定凸部２６ａ、２６ｂに対応する位置に、アンテナ固定穴４２ａ、４２ｂが設けられている。
【００５６】
図８（ｂ）に示すように、地板４０のアンテナ配置部４１にアンテナ１’を配置し、アンテナ固定穴４２ａ、４２ｂに固定凸部２６ａ、２６ｂを嵌合することにより、アンテナ１’が地板４０に固定される。
【００５７】
アンテナ１’は、磁性部材７が、図示しない時計の金属製のケースに取り付けられる金属製の裏蓋と対向するように配置されている。そして、回路基板３０の接続端子３２ａ、３２ｂが、時計ムーブメントのメインの回路基板５０’に接続される。尚、時計ムーブメントのメインの回路基板５０’は、その外形の一部を点線で示している。
【００５８】
回路基板５０の一部である５０ａ’は、第１固定部材１０のテーパー部１５に沿った形状に形成されている。これにより、回路基板５０’の面積を、テーパー部１５を設けない場と比較して面積を大きくすることができる。
【００５９】
アンテナとは別に回路基板３０を腕時計に組み込む場合と比較して、回路基板３０がアンテナ１’に一体化されることにより回路基板３０が組み込み易くなる。
【００６０】
なお、この実施形態の場合には、第１固定部材１０と第２固定部材２０ａ、２０ｂを固着しているのはボス１２と穴２４であるが、第１固定部材１０と第２固定部材２０ａ、２０ｂに互いに接する面を設け、その面で接着剤により固定する方法でもよい。さらに、第１固定部材１０と第２固定部材２０ａ、２０ｂが固定されるのであれば、上記記載以外の方法でもよい。
【００６１】
第１実施形態に示したアンテナ１は、固定部材２だけで磁性部材７が磁心３に接着固定されているが、アンテナ１や磁性部材７の大きさや形状によっては、接着する際の磁性部材７の位置決めが容易でなかったり、磁性部材７の耐衝撃性などが問題となる場合もある。これに対して、第２実施形態のように第１固定部材１０に磁性部材７を固着し、第１固定部材１０及び第２固定部材２０ａ、２０ｂで磁心３や巻線５に対して磁性部材７の位置決めをすることにより、これらの問題を解消することができる。
【００６２】
従来のアンテナ構造において、磁性部材７の狭幅部９まわりのスペースは使用されておらず、無駄なスペースであった。この実施形態では、磁性部材７を位置決めするための第１固定部材１０の凸部１３を狭幅部９の両側に配置して狭幅部９の両側のスペースを有効活用するとともに、凸部１３に設けたボス１２と、ボス１２に対応する位置に第２固定部材のボス穴２４を設けることにより、狭幅部９の両側のスペースと、その周囲のスペースも有効に活用しているので、従来のアンテナ構造よりもアンテナ１’の小型化が可能である。
【００６３】
また、図６及び図７に示される回路基板３０は、巻線５に接続され、固定部材のひとつである第２固定部材２０ａに固定されている。回路基板３０が第２固定部材２０ａに固定される際、第２固定部材２０ａに対する位置を決めるが、その位置決めを、磁性部材７の狭幅部９まわりに配置される位置決め部２１ａと、第２固定部材２０ａの端部に設けられた位置決め部２１ｂにて行っている。
【００６４】
狭幅部９のまわりに配置される部分で位置決めすることにより、他の方法(例えば、いずれかの固定部材から固定用のボスを出す、等)により位置決めする場合よりもスペースの無駄を省くことが可能であり、結果としてアンテナ１’の小型化につながる。
【００６５】
また、第１固定部材１０の四隅にテーパー部１５が形成されている。テーパー部１５が無い場合、アンテナ１’をムーブメント外周に寄せていくと、第１固定部材１０の四隅の角部がムーブメント外周に到達したところが、アンテナ１’がムーブメント外周に一番寄った点である。一方、テーパー部部１５が形成されている場合は、図８に示すように、角部がなくなった分だけ、よりアンテナ１’をムーブメントの外周に寄せて配置できる。これにより、効率よくムーブメント部品を配置することができ、ムーブメントの小型化が可能となる。第１固定部材１０にテーパー部１５を形成できるのも、磁性部材７に狭幅部９を設け、スペースｂやｄを設けたためである。
【００６６】
なお、第１固定部材１０の凸部１３がなくても磁性部材７を第１固定部材１０に位置決めできる場合には、凸部１３を設けずに、狭幅部９の両側に直接ボス１２を設けても良い。この場合は、狭幅部９の両側のスペースａ〜ｃにボス１２を設けてこれらのスペースを有効活用することとなる。
【００６７】
また、この実施形態の場合には、回路基板３０は第２固定部材２０ａに固定されているが、第１固定部材１０で位置決めと固定をされていてもよい。
【符号の説明】
【００６８】
１、１’    アンテナ
２    固定部材
３    磁心
４    絶縁テープ
５    巻線
７    磁性部材
８    中央部
９    狭幅部
１０    第１固定部材
１２    ボス
１３    凸部
１４    磁性体配置部
１５    テーパー部
２０ａ、２０ｂ    第２固定部材
２１ａ、２１ｂ    回路基板位置決め部
２３    磁心取付凹部
２４    穴
２５    回路基板配置部
２６ａ、２６ｂ    固定凸部
２７    巻幅規定部
３０    回路基板
３４ａ、３４ｂ    回路基板被位置決め部
４０    地板
４１    アンテナ配置部
４２ａ、４２ｂ    アンテナ固定穴
【図１】
0005562266.tif 000002
【図２】
0005562266.tif 000003
【図３】
0005562266.tif 000004
【図４】
0005562266.tif 000005
【図５】
0005562266.tif 000006
【図６】
0005562266.tif 000007
【図７】
0005562266.tif 000008
【図８】
0005562266.tif 000009